(57)【要約】【課題】ヒノキなどの間伐材を有効利用して、天然の素材が醸し出す雰囲気と影絵の組み合わせによって彩り鮮やかに装飾模様を表示可能な照明器具を提案すること。【解決手段】スタンド式照明器具２０のシェード用シート２７は、ヒノキを薄く削り取ることにより形成した光透過性の木製表面シート１２と光透過性の裏面シート１４が中間シート１７を挟み、ホットメルト接着剤層によって貼り合わされている。中間シート１７の表面１７ａには影絵用の模様として紅葉模様が描かれている。非点灯状態では木製表面シート１２の天然の地肌が表示され、点灯状態では天然の木目に紅葉模様が浮き上がった天然の雰囲気が醸しだされた照明状態が形成される。【選択図】図３
2009160819.tif 000002
【特許請求の範囲】
【請求項１】
スギ、ヒノキ、カラマツなどの木材を削り取ることにより形成した光透過性の木製表面シートと、
この木製表面シートの裏面に貼り合せた光透過性の裏面シートとを有し、
前記木製表面シートの裏面、前記裏面シートの表面、および前記裏面シートの裏面のうち、少なくとも一つの面に、影絵用の模様が形成されていることを特徴とする影絵表示用複合シート。
【請求項２】
請求項１に記載の影絵表示用複合シートにおいて、
前記裏面シートは、プラスチックシート、和紙、布、ガラス、および、スギ、ヒノキ、カラマツなどの木材を薄く削り取ることにより形成した木製シートのうちのいずれか一つであることを特徴とする影絵表示用複合シート。
【請求項３】
請求項１に記載の影絵表示用複合シートにおいて、
前記木製表面シートおよび前記裏面シートは、ホットメルト接着剤によって貼り合わせてあることを特徴とする影絵表示用複合シート。
【請求項４】
請求項１に記載の影絵表示用複合シートにおいて、
前記木製表面シートと前記裏面シートの間に挟まれた状態に貼り合せた少なくとも一枚の中間シートを有しており、
前記木製表面シートの裏面、前記中間シートの表面、前記中間シートの裏面、前記裏面シートの表面、および前記裏面シートの裏面のうち、少なくとも一つの面に、影絵用の模様が描かれていることを特徴とする影絵表示用複合シート。
【請求項５】
請求項４に記載の影絵表示用複合シートにおいて、
前記中間シートは、プラスチックシート、和紙、布、ガラス、および、スギ、ヒノキ、カラマツなどの木材を薄く削り取ることにより形成した木製シートのうちのいずれか一つであることを特徴とする影絵表示用複合シート。
【請求項６】
請求項４に記載の影絵表示用複合シートにおいて、
前記木製表面シート、前記中間シートおよび前記裏面シートは、ホットメルト接着剤によって貼り合わせてあることを特徴とする影絵表示用複合シート。
【請求項７】
請求項１ないし６のうちのいずれかの項に記載の影絵表示用複合シートにおいて、
前記木製表面シートの表面には表面模様が描かれていることを特徴とする影絵表示用複合シート。
【請求項８】
請求項７に記載の影絵表示用複合シートにおいて、
前記表面模様と前記影絵用の模様とが組み合わされて一つの装飾模様が形成されるように、これらの模様の相対位置などを一定の関係としてあることを特徴とする影絵表示用複合シート。
【請求項９】
請求項１ないし８のうちのいずれかの項に記載の影絵表示用複合シートから形成されていることを特徴とする照明器具用シェード。
【請求項１０】
請求項１ないし８のうちのいずれかの項に記載の影絵表示用複合シートが表面を覆っていることを特徴とする照明器具用シェード。
【請求項１１】
請求項１ないし８のうちのいずれかの項に記載の影絵表示用複合シートから形成されているシェードを有していることを特徴とする照明器具。
【請求項１２】
請求項１ないし８のうちのいずれかの項に記載の影絵表示用複合シートがシェードの表面を覆っていることを特徴とする照明器具。
【請求項１３】
請求項１ないし８のうちのいずれかの項に記載の影絵表示用複合シートから形成されていることを特徴とする障子紙。
【請求項１４】
請求項１ないし８のうちのいずれかの項に記載の影絵表示用複合シートによって形成したことを特徴とするブラインド。
【発明の詳細な説明】
【技術分野】
【０００１】
本発明は、裏面から光を当てると表面側に影絵が浮かび上がる影絵表示用複合シート、当該影絵表示用複合シートを用いた照明器具用シェード、および当該照明器具用シェードが用いられている照明器具、並びに、当該影絵表示複合シートからなる障子紙に関する。
【背景技術】
【０００２】
照明用スタンド、天井灯などのシェードとして、点灯すると、消灯状態では目視できなかった装飾用の絵柄などが浮かび上がるものが提案されている。特許文献１には、天井灯のシェードが内側の透明なアクリル樹脂板と外側の繊維を含んだ透光層から形成され、点灯すると、光がシェードを通過するときに透光層の繊維が透かし模様となって表示され和紙のような雰囲気を醸し出す構成が開示されている。特許文献２には、天井灯のシェードの裏面に図柄の付いた図案体を取り付けた構成が開示されている。特許文献３には、透かし彫りによる開口部が形成された陶磁器からなる照明用シェードが開示されている。
【特許文献１】特開平０７−２６２８１３号公報
【特許文献２】特開平１１−１６２２５０号公報
【特許文献３】実用新案登録第３１１６１９６号公報
【発明の開示】
【発明が解決しようとする課題】
【０００３】
近年の照明器具においては、和紙、木材などの天然繊維の透かし模様、木目模様などの天然素材の醸し出す雰囲気が好まれている。しかしながら、従来においては特許文献１に開示されているように擬似的に天然素材の雰囲気を醸し出すものが殆どである。
【０００４】
本発明の課題は、この点に鑑みて、ヒノキなどの間伐材を有効利用して、天然の素材が醸し出す雰囲気と影絵の組み合わせによって彩り鮮やかに装飾模様を表示可能な影絵表示用複合シート、当該影絵表示用複合シートを用いた照明器具用シェード、および、当該照明器具用シェードを用いた照明器具を提案することにある。
【課題を解決するための手段】
【０００５】
上記の課題を解決するために、本発明の影絵表示用複合シートは、
スギ、ヒノキ、カラマツなどの木材を削り取ることにより形成した光透過性の木製表面シートと、
この木製表面シートの裏面に貼り合せた光透過性の裏面シートとを有し、
前記木製表面シートの裏面、前記裏面シートの表面、および前記裏面シートの裏面のうち、少なくとも一つの面に、影絵用の模様が形成されていることを特徴としている。
【０００６】
模様は遮光性のインクによって形成してもよいし、遮光部材に光透過パターンを形成してもよい。
【０００７】
ここで、前記裏面シートは、プラスチックシート、和紙、布、ガラス、および、スギ、ヒノキ、カラマツなどの木材を薄く削り取ることにより形成した木製シートのうちのいずれかとすることができる。
【０００８】
また、前記木製表面シートおよび前記裏面シートは、ホットメルト接着剤によって貼り合わせることができる。
【０００９】
次に、前記木製表面シートと前記裏面シートの間に、少なくとも一枚の中間シートを貼り合わせた多層構造としてもよい。この場合には、前記木製表面シートの裏面、前記中間シートの表面、前記中間シートの裏面、前記裏面シートの表面、および前記裏面シートの裏面のうち、少なくとも一つの面に、影絵用の模様を描いておけばよい。
【００１０】
また、前記中間シートは、プラスチックシート、和紙、布、ガラス、および、スギ、ヒノキ、カラマツなどの木材を薄く削り取ることにより形成した木製シートのうちのいずれか一つとすることができる。
【００１１】
さらに、前記木製表面シート、前記中間シートおよび前記裏面シートは、ホットメルト接着剤によって貼り合わせることができる。
【００１２】
次に、上記構成の影絵表示用複合シートにおいて、前記木製表面シートの表面に表面模様を描いておくことができる。
【００１３】
この場合には、前記表面模様と前記影絵用の模様とが組み合わされて一つの装飾模様が形成されるように、これらの模様の相対位置などを一定の関係としておくことができる。
【００１４】
次に、本発明は照明器具用シェードに関するものであり、上記構成の影絵表示用複合シートによって形成されていることを特徴としている。また、本発明の影絵表示用複合シートは、障子紙、ブラインド、ロールスクリーンなどの素材として用いることができる。
【００１５】
ここで、本発明の照明器具用シェードは、上記構成の影絵表示用複合シートによって表面が覆われていることを特徴としている。
【００１６】
一方、本発明は照明器具に関するものであり、上記構成の影絵表示用複合シートによって形成されたシェードを有していることを特徴としている。
【００１７】
また、本発明の照明器具は、上記構成の影絵表示用複合シートがシェードの表面を覆っていることを特徴としている。
【発明の効果】
【００１８】
本発明の影絵表示用複合シートの裏面側から光を当てると、その表面側の木製表面シートには、当該木製表面シートの素材である木材の木目、繊維などが浮かび上がり、そこに裏面側の影絵が重なった状態で浮かび上がる。したがって、天然素材の背景に装飾用の影絵が浮かび上がった従来には無い雰囲気を醸し出すことができる。
【００１９】
したがって、本発明の影絵表示用複合シートを用いて照明器具用シェードを作製して用いれば、従来には無い天然の雰囲気を醸し出す照明効果が得られる。また、障子紙として用いた場合にも、太陽光などによって装飾用影絵が浮かび上がり、従来には無い天然の雰囲気を醸し出す室内装飾効果が得られる。さらに、木製表面シートは和紙などに比べて耐久性があり、スタンド式の照明器具のシェード、障子紙として用いた場合においても破れなどが起きないという利点もある。
【発明を実施するための最良の形態】
【００２０】
以下に、図面を参照して、本発明を適用した影絵表示用複合シートおよび照明器具の実施の形態を説明する。
【００２１】
（影絵表示用複合シートの例）
図１は本発明を適用した二層の影絵表示用複合シートの例を示す断面図および分解斜視図である。影絵表示用複合シート１は、光透過性の木製表面シート２と、この木製表面シート２の裏面２ｂに、光透過性の接着剤層３を介して貼り合せた光透過性の裏面シート４とを有している。木製表面シート２は、スギ、ヒノキ、カラマツなどの木材を薄く削り取ることにより形成した所定の形状の木製表面シートである。裏面シート４は、プラスチックシート、和紙、布、ガラス、および、スギ、ヒノキ、カラマツなどの木材を薄く削り取ることにより形成した木製シートのうちのいずれかとすることができる。本例ではプラスチックシートから形成されている。接着剤層３は扱いが容易なホットメルト接着剤を用いることができる。勿論、他の接着剤を用いることも可能である。
【００２２】
木製表面シート２の裏面２ｂ、裏面シート４の表面４ａ、および裏面シート４の裏面４ｂのうち、少なくとも一つの面に、影絵用の模様を形成あるいは印刷しておくことができる。あるいは、これらの面に、遮光シートに光透過パターンを形成したものを積層しておいてもよい。または、裏面シート４自体の内部に影絵用の模様を形成しておくこともできる。さらには、裏面シート４を遮光性のシートとし、当該シートに光透過性の開口パターンあるいは、光透過性の薄肉パターンを形成しておいてもよい。図示の例では、裏面シート４の表面４ａに仏陀の背景模様５が遮光性インク、例えばブラックインクで印刷されている。
【００２３】
また、本例では、木製表面シート２の表面２ａにも表面模様、例えば、仏陀の絵６が描かれている。この仏陀の絵６と影絵用の模様である背景模様５とは相対位置が規定されている。
【００２４】
この構成の影絵表示用複合シート１は、通常の状態では、表面を規定している木製表面シート２の天然の木目模様と、そこに描かれた仏陀の絵６が表示されており、裏面側の背景模様５は表面側からは目視できない状態となっている。影絵表示用複合シート１の裏面側から光を当てると、影絵用の背景模様５が表面側に浮かび上がり、仏陀の絵６と一体となって表面側から目視できる状態になる。
【００２５】
（影絵表示用複合シートの別の例）
次に、図２は本発明を適用した影絵表示用複合シートの別の例を示す断面図および分解斜視図である。この影絵表示用複合シート１１は、木製表面シート１２と、中間シート１７と、裏面シート１４が、それぞれ接着剤層１３ａ、１３ｂを挟み、貼り合わされた三層構造となっている。中間シート１７を複数枚挟み込み、中間シート同士を接着剤層によって相互に貼り合せた多層構造とすることも可能である。
【００２６】
中間シート１７は、プラスチックシート、和紙、布、ガラス、および、スギ、ヒノキ、カラマツなどの木材を薄く削り取ることにより形成した木製シートのうちのいずれかを用いて作製することができる。接着剤層１３ａ、１３ｂとしてはホットメルト接着剤を用いることができる。
【００２７】
また、木製表面シート１２の裏面１２ｂ、中間シート１７の表面１７ａ、中間シート１７の裏面１７ｂ、裏面シート１４の表面１４ａ、および裏面シート１４の裏面１４ｂのうち、少なくとも一つの面に、影絵用の模様を形成しておくことができる。図示の例では紅葉模様１５が中間シート１７の表面１７ａに描かれている。この代わりに、中間シート１７の内部、あるいは、裏面シート１４の内部に影絵用の紅葉模様１５を形成しておくこともできる。さらには、中間シート１７あるいは裏面シート１４を遮光性のシートとし、これらのシート自体に光透過用の開口パターンあるいは光透過用の薄肉パターンを形成しておいてもよい。また、木製表面シート１２の表面１２ａに表面模様を形成しておいてもよい。
【００２８】
（照明器具の例）
図３は本発明を適用したスタンド式の照明器具の例を示す斜視図であり、図３（ａ）は非点灯状態を示し、図３（ｂ）は夜間などにおける点灯状態を示す。照明器具２０は、ヒノキ製の円盤状の支持板２１と、この支持板２１の中心から垂直に起立している支柱２２と、この支柱２２の先端に取り付けたランプ２３と、ランプ２３を覆っているシェード２４とを有している。
【００２９】
シェード２４は、底が開口し、天面が封鎖されている円筒形状をしており、一定の角度間隔で垂直に配置したヒノキ製の直線状の４本の縦桟２５と、これらの縦桟２５に水平に掛け渡したリング状の複数の横桟２６によってシェード骨組みが構成されており、この骨組みに、影絵模様として紅葉模様が付された上記の影絵表示用複合シート１１からなるシェード用シート２７が貼り付けられている。すなわち、シェード骨組みに、円筒外周面および円形の天面を形成する状態に取り付けられている。
【００３０】
非点灯状態では、図３（ａ）に示すように、シェード用シート２７の木製表面シートの木質がそのまま表示されている。点灯すると、木目模様に紅葉模様が浮き出た表示状態になる。また、シェード骨組みも浮き出て表面側から目視可能な状態になる。
【００３１】
（その他の実施の形態）
本発明の影絵表示用シートは、シェードの他、建物の窓などに取り付けられるブラインドの素材として用いることができる。また、障子紙として用いることができる。
【図面の簡単な説明】
【００３２】
【図１】本発明を適用した影絵表示用シートの一例を示す断面図および分解斜視図である。
【図２】本発明を適用した影絵表示用シートの他の例を示す断面図および分解斜視図である。
【図３】本発明を適用したスタンド式の照明器具の例を示す図であり、（ａ）は非点灯時の外観状態を示す斜視図であり、（ｂ）は点灯時の外観状態を示す斜視図である。
【符号の説明】
【００３３】
１    影絵表示用複合シート
２    木製表面シート
２ａ、４ａ  表面
２ｂ、４ｂ  裏面
３    接着剤層
４    裏面シート
５    背景模様
６    絵
１１  影絵表示用複合シート
１２  木製表面シート
１２ａ、１４ａ、１７ａ  表面
１２ｂ、１４ｂ、１７ｂ  裏面
１３ａ、１３ｂ  接着剤層
１４  裏面シート
１５  紅葉模様
１７  中間シート
２０  照明器具
２１  支持板
２２  支柱
２３  ランプ
２４  シェード
２５  縦桟
２６  横桟
２７  シェード用シート
【図１】
2009160819.tif 000003
【図２】
2009160819.tif 000004
【図３】
2009160819.tif 000005